(57)【要約】      （修正有）【課題】開閉操作が簡単で、意図しない状況で蓋が簡単に開くことがない安全性に優れた飲料容器の栓体を提供する。【解決手段】容器本体ＣＢに装着される口栓部材１０と口栓部材１０に開閉可能に取り付けられた蓋部材２０と蓋部材２０を開閉させる開閉手段３０と蓋部材２０を閉状態にロックするロック手段４０とを備える。また、開閉手段３０は、口栓部材１０に設けられた係止爪３２を有する係止部材３１と蓋部材２０を閉じることによって係止爪３２に係合して蓋部材２０を全閉位置に位置決めする、係止爪３２に対する係合を解除可能に蓋部材２０に取り付けられた開閉操作部材３３とを有する。ロック手段４０は、スライド可能に口栓部材１０に取り付けられた、上方に突出する突起４２を有するロック操作部材４１と蓋部材２０を閉じた状態でロック位置にスライドさせたロック操作部材４１の突起４２に係合する、開閉操作部材３３に形成された係合部４２とを有している。【選択図】図６
0003173973.tif 000002
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉手段と、
前記蓋部材を閉状態にロックするロック手段とを備え、
前記開閉手段は、前記口栓部材に設けられた係止部と、前記蓋部材を閉じることによって前記係止部に係合して前記蓋部材を全閉位置に位置決めする、前記係止部に対する係合を解除可能に前記蓋部材に取り付けられた開閉操作部材とを有し、
前記ロック手段は、ロック位置とロック解除位置との間で横方向にスライド可能に前記口栓部材に取り付けられた、上方に突出する突起を有するロック操作部材と、前記蓋部材を閉じた状態でロック位置にスライドさせた前記ロック操作部材の前記突起に係合して前記開閉操作部材による前記係止部に対する係合解除操作を不能とする、前記開閉操作部材に形成された係合部とを有していることを特徴とする飲料容器の栓体。
【請求項２】
容器本体に装着される口栓部材と、
前記口栓部材にヒンジを介して開閉可能に取り付けられた蓋部材と、
前記蓋部材を開閉させる開閉手段と、
前記蓋部材を閉状態にロックするロック手段とを備え、
前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、
前記ロック手段は、ロック位置とロック解除位置との間で横方向にスライド可能に前記蓋部材に取り付けられた、下方に突出する突起を有するロック操作部材と、前記蓋部材を閉じた状態でロック位置にスライドさせた前記ロック操作部材の前記突起に係合して前記開閉操作部材による前記係止部に対する係合解除操作を不能とする、前記開閉操作部材に形成された係合部とを有していることを特徴とする飲料容器の栓体。
【請求項３】
前記口栓部材には、上方に突出した筒状の口部が形成されており、
前記蓋部材には、閉じたときに前記口部の開口端を閉塞するパッキンが設けられている請求項１または２に記載の飲料容器の栓体。
【請求項４】
前記口栓部材には、上方に突出した有底筒状の口部が形成されており、
前記口部の底壁には、容器本体に収容された液体内容物を注出するための注出孔が形成されていると共にその注出孔よりも前記ヒンジ側に空気孔が形成されており、
前記蓋部材には、閉じたときに前記口部内に入り込む内栓が形成されており、
前記内栓には、蓋部材を閉じたときに、前記注出孔及び空気孔を閉塞するパッキンが設けられている請求項１または２に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２００６−１５８７２９号公報に開示されたものがある。この栓体は、ボトル本体に装着される肩部材と、この肩部材の後部にヒンジを介して片開き可能に取り付けられた片開き蓋と、この片開き蓋を閉じ位置にロックし、かつロックを解除できるようにしたロック機構とを備えており、ロック機構は、片開き蓋を閉じ位置にロックするロック部材と、ロック部材のロック、ロック解除の動作方向とは異なった方向の予備操作とロック解除動作の方向のロック部材を伴っての本操作との連続操作でロック部材によるロックを解除するロック解除部材とを備えている。
【先行技術文献】
【特許文献】
【０００３】
【特許文献１】特開２００６−１５８７２９号公報
【考案の概要】
【考案が解決しようとする課題】
【０００４】
従って、この栓体は、ロックを解除するためにロック解除部材を下方側に引き下げる予備操作を行った後、続いて、そのロック解除部材と共にロック部材をヒンジ側に押し込む本操作を連続的に行うことで、片開き蓋を開くことができるので、こういった栓体が装着された飲料容器は、その携帯中に、ロック解除部材に上述した２方向の力が作用すると、片開き蓋が簡単に開いてしまい、ボトル本体に収容された液体飲料がこぼれてしまうといったおそれがある。
【０００５】
そこで、この考案の課題は、開閉操作が簡単で、しかも、意図しない状況で蓋が簡単に開くことがない安全性に優れた飲料容器の栓体を提供することにある。
【課題を解決するための手段】
【０００６】
上記の課題を解決するため、請求項１に係る考案は、容器本体に装着される口栓部材と、前記口栓部材にヒンジを介して開閉可能に取り付けられた蓋部材と、前記蓋部材を開閉させる開閉手段と、前記蓋部材を閉状態にロックするロック手段とを備え、前記開閉手段は、前記口栓部材に設けられた係止部と、前記蓋部材を閉じることによって前記係止部に係合して前記蓋部材を全閉位置に位置決めする、前記係止部に対する係合を解除可能に前記蓋部材に取り付けられた開閉操作部材とを有し、前記ロック手段は、ロック位置とロック解除位置との間で横方向にスライド可能に前記口栓部材に取り付けられた、上方に突出する突起を有するロック操作部材と、前記蓋部材を閉じた状態でロック位置にスライドさせた前記ロック操作部材の前記突起に係合して前記開閉操作部材による前記係止部に対する係合解除操作を不能とする、前記開閉操作部材に形成された係合部とを有していることを特徴とする飲料容器の栓体を提供するものである。
【０００７】
また、請求項２に係る考案は、容器本体に装着される口栓部材と、前記口栓部材にヒンジを介して開閉可能に取り付けられた蓋部材と、前記蓋部材を開閉させる開閉手段と、前記蓋部材を閉状態にロックするロック手段とを備え、前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、前記ロック手段は、ロック位置とロック解除位置との間で横方向にスライド可能に前記蓋部材に取り付けられた、下方に突出する突起を有するロック操作部材と、前記蓋部材を閉じた状態でロック位置にスライドさせた前記ロック操作部材の前記突起に係合して前記開閉操作部材による前記係止部に対する係合解除操作を不能とする、前記開閉操作部材に形成された係合部とを有していることを特徴とする飲料容器の栓体を提供するものである。
【０００８】
また、請求項３に係る考案は、請求項１または２に係る考案の飲料容器の栓体において、前記口栓部材には、上方に突出した筒状の口部が形成されており、前記蓋部材には、閉じたときに前記口部の開口端を閉塞するパッキンが設けられていることを特徴としている。
【０００９】
また、請求項４に係る考案は、請求項１または２に係る考案の飲料容器の栓体において、前記口栓部材には、上方に突出した有底筒状の口部が形成されており、前記口部の底壁には、容器本体に収容された液体内容物を注出するための注出孔が形成されていると共にその注出孔よりも前記ヒンジ側に空気孔が形成されており、前記蓋部材には、閉じたときに前記口部内に入り込む内栓が形成されており、前記内栓には、蓋部材を閉じたときに、前記注出孔及び空気孔を閉塞するパッキンが設けられていることを特徴としている。
【考案の効果】
【００１０】
以上のように、請求項１に係る考案の飲料容器の栓体において、閉状態にロックされた蓋部材を開くには、口栓部材に取り付けられたロック操作部材を横方向にロック位置からロック解除位置までスライドさせることによって、開閉操作部材の係合部に対するロック操作部材の突起の係合を解除した後、そのロック操作部材の上側に位置している、蓋部材に取り付けられた開閉操作部材を操作すればよいので、蓋部材の開閉操作が簡単であり、しかも、ロック操作部材と開閉操作部材とを個別に異なる方向に操作しないと、蓋部材が開かないので、こういった栓体が装着された飲料容器を携帯しても、意図しない状況で蓋部材が開いて液体飲料がこぼれてしまうおそれがなくなる。
【００１１】
また、請求項２に係る考案の飲料容器の栓体において、閉状態にロックされた蓋部材を開くには、蓋部材に取り付けられたロック操作部材をロック位置からロック解除位置まで横方向にスライドさせることによって、開閉操作部材の係合部に対するロック操作部材の突起の係合を解除した後、そのロック操作部材の下側に位置している、口栓部材に取り付けられた開閉操作部材を操作すればよいので、蓋部材の開閉操作が簡単であり、しかも、ロック操作部材と開閉操作部材とを個別に異なる方向に操作しないと、蓋部材が開かないので、こういった栓体が装着された飲料容器を携帯しても、意図しない状況で蓋部材が開いて液体飲料がこぼれてしまうおそれがなくなる。
【００１２】
また、請求項３に係る考案の飲料容器の栓体や請求項４に係る考案の飲料容器の栓体では、上方に突出した筒状の口部が口栓部材に形成されているので、蓋部材を開いて口部に口を付けて容器本体内の飲料を直接飲むことができ、使い勝手がよい。
【図面の簡単な説明】
【００１３】
【図１】（ａ）はこの考案に係る栓体の一実施形態が容器本体に装着された飲料容器を示す正面図、（ｂ）は同上の飲料容器を示す側面図である。
【図２】同上の栓体を示す斜視図である。
【図３】同上の栓体における蓋部材を開いた状態を示す斜視図である。
【図４】同上の栓体における蓋部材を開いた状態を示す平面図である。
【図５】同上の栓体を示す分解斜視図である。
【図６】同上の栓体を示す断面図である。
【図７】同上の栓体における蓋部材を開いた状態を示す断面図である。
【図８】同上の栓体における蓋部材の開操作を説明するための断面図である。
【図９】（ａ）は同上の栓体を構成しているロック手段を示す斜視図、（ｂ）は同上のロック手段を示す分解斜視図である。
【図１０】（ａ）はロック手段のロック状態を示す説明図、（ｂ）は同上のロック手段のロック解除状態を示す説明図である。
【図１１】他の実施形態である栓体を示す斜視図である。
【図１２】同上の栓体における蓋部材を開いた状態を示す斜視図である。
【図１３】同上の栓体を示す分解斜視図である。
【図１４】同上の栓体を示す断面図である。
【図１５】同上の栓体における蓋部材を開いた状態を示す断面図である。
【図１６】同上の栓体における蓋部材の開操作を説明するための断面図である。
【図１７】（ａ）はロック手段のロック状態を示す斜視図、（ｂ）は同上のロック手段のロック解除状態を示す斜視図である。
【考案を実施するための形態】
【００１４】
以下、実施の形態について図面を参照して説明する。図１（ａ）、（ｂ）は、この考案に係る栓体１が容器本体ＣＢに装着された飲料容器を示している。
【００１５】
前記栓体１は、図２〜図４に示すように、容器本体ＣＢに装着される口栓部材１０と、この口栓部材１０にヒンジ１ａを介して開閉可能に取り付けられた蓋部材２０と、この蓋部材２０を開閉させる開閉手段３０と、蓋部材２０を閉状態にロックするロック手段４０とを備えており、蓋部材２０はヒンジ１ａ部分に取り付けられた一対のねじりバネ１ｂによって、常時、開方向に付勢されている。
【００１６】
前記口栓部材１０は、図２〜図６に示すように、容器本体ＣＢの小径の口部に螺合される円筒状のベース部材１１と、このベース部材１１に嵌着された、上方に突出する有底筒状の口部材１２と、ベース部材１１と口部材１２との間に配設され、容器本体ＣＢの口部上端が嵌合するリング状のパッキン１６とから構成されており、口部材１２の底壁１３には、その前面側に容器本体ＣＢ内の液体飲料を注出するための注出孔１４が形成されていると共に、底壁１３の中央部よりも僅かに後方側に空気孔１５が形成されている。
【００１７】
前記蓋部材２０は、図２〜図６に示すように、円形状の天板の周縁部に周壁が連設された蓋本体２１と、この蓋本体２１の天板の内面に固着された、蓋部材２０を閉じたときに口栓部材１０の口部材１２内に入り込む閉塞部２２とを備えており、この閉塞部２２の底面には、蓋部材２０を閉じたときに口部材１２の底壁１３に形成された注出孔１４及び空気孔１５を密閉するパッキン２３、２４が取り付けられている。
【００１８】
前記開閉手段３０は、口栓部材１０におけるベース部材１１の前面側に突出する区画壁１１ａによって上部を除く三方が囲われた収容部に固着された、上端部に係止爪３２を有する係止部材３１と、ベース部材１１の区画壁１１ａに対応するように、蓋部材２０における蓋本体２１の周壁の前面側に突出する区画壁２１ａによって下部を除く三方が囲われた収容部内で、区画壁２１ａに揺動自在に軸支された、係止部材３１の係止爪３２に係合可能な係合凹部３４を下部に有する開閉操作部材３３と、ベース部材１１の収容部と開閉操作部材３３との間に配設された、開閉操作部材３３における揺動軸３５よりも上側部分を外側（前方側）に付勢するコイルバネ３６とを備えており、開閉操作部材３３は、その係合凹部３４が形成された下部が蓋本体２１の下方側に張り出している。
【００１９】
従って、図７に示すように、蓋部材２０を開いた状態から蓋部材２０を閉じると、蓋部材２０に取り付けた開閉操作部材３３の係合凹部３４よりも下端側が、口栓部材１０に固定された係止部材３１の係止爪３２に接触することによって、開閉操作部材３３の下端部が外側に押し広げられながら係止爪３２を乗り越えて係合凹部３４が係止爪３２に係合し、これによって蓋部材２０が全閉位置に位置決めされるようになっている（図６参照）。
【００２０】
また、蓋部材２０が全閉位置に位置決めされた状態で、図８に示すように、コイルバネ３６の付勢力に抗して開閉操作部材３３の上部を押し込むと、係止爪３２に対する係合凹部３４の係合が解除されるので、蓋部材２０の前端部を少し持ち上げるだけで、ねじりバネ１ｂの付勢力によって、蓋部材２０が全開位置まで開くようになっている（図７参照）。
【００２１】
前記ロック手段４０は、図２〜図６及び図９に示すように、ロック位置とロック解除位置との間で横方向にスライド可能に、係止部材３１の前面側の下半部に取り付けられた、上方に突出する突起４２を有するロック操作部材４１と、蓋部材２０を全閉にした状態、即ち、開閉操作部材３３の係合凹部３４が係止部材３１の係止爪３２に係合した状態で、図９（ａ）、（ｂ）に示すように、ロック操作部材４１の突起４２に係合可能な、開閉操作部材３３の下端部に形成された係合部４３とを備えており、図１０（ａ）に示すように、ロック操作部材４１をロック位置にスライドさせると、突起４２が開閉操作部材３３の係合部４３に係合して開閉操作部材３３の揺動が規制され、同図（ｂ）に示すように、ロック操作部材４１をロック解除位置にスライドさせると、係合部４３に対する突起４２の係合が解除され、開閉操作部材３３の揺動、即ち、開閉操作が許容されるようになっている。
【００２２】
以上のように、この栓体１において、閉状態にロックされた蓋部材を開くには、口栓部材１０に取り付けられたロック操作部材４１を横方向にロック位置からロック解除位置までスライドさせることによって、開閉操作部材３３の係合部４３に対するロック操作部材４１の突起４２の係合を解除した後、そのロック操作部材４１の上側に位置している、蓋部材２０に取り付けられた開閉操作部材３３を操作すればよいので、蓋部材２０の開閉操作が簡単であり、しかも、ロック操作部材４１と開閉操作部材３３とを個別に異なる方向に操作しないと、蓋部材２０が開かないので、こういった栓体１が装着された飲料容器を携帯しても、意図しない状況で蓋部材２０が開いて液体飲料がこぼれてしまうおそれがなくなる。
【００２３】
また、この栓体１は、口栓部材１０が上方に突出する有底筒状の口部材１２を有しているので、蓋部材２０を開いて口部材１２に口を付けて容器本体ＣＢ内の飲料を直接飲むことができ、使い勝手がよい。特に、口部材１２の底壁１３には、注出孔１４と共に空気孔１５が形成されているので、容器本体ＣＢ内の飲料を注出孔１４から円滑に注出させることができる。
【００２４】
図１１〜図１７は他の実施形態を示している。この栓体２は、図１１〜図１３に示すように、容器本体に装着される口栓部材５０と、この口栓部材５０にヒンジ２ａを介して開閉可能に取り付けられた蓋部材６０と、この蓋部材６０を開閉させる開閉手段７０と、蓋部材６０を閉状態にロックするロック手段８０とを備えており、蓋部材６０はヒンジ２ａ部分に取り付けられた一対のねじりバネ２ｂによって、常時、開方向に付勢されている。
【００２５】
前記口栓部材５０は、図１１〜図１４に示すように、容器本体ｃｂの小径の口部に螺合されるベース部材５１と、このベース部材５１の内部に嵌着され、容器本体ｃｂの口部上端が嵌合するリング状のパッキン５３とから構成されており、ベース部材５１は、前方側で立ち上がる、飲み口としても機能する筒状の注出口部５２を有している。
【００２６】
前記蓋部材６０は、図１１〜図１４に示すように、天部を部分的に窪ませることによって下方側に突出させた閉塞部６２を有する蓋本体６１と、この蓋本体６１における窪ませた部分を覆うカバー部材６３と、蓋本体６１の閉塞部６２の下面に取り付けられたパッキン６４とを備えており、蓋部材６０を閉じたときにパッキン６４が口栓部材５０の注出口部５２を密閉するようになっている。
【００２７】
前記開閉手段７０は、蓋部材６０における蓋本体６１の周壁の前面側に突出する左右一対の区画壁６１ａによって挟まれた収容部の下端部に形成された係止爪７１と、蓋本体６１の区画壁６１ａに対応するように、口栓部材５０におけるベース部材５１の前面側に突出する区画壁５１ａによって上部を除く三方が囲われた収容部内で、区画壁５１ａに揺動自在に軸支された、係止爪７１に係合可能な係合凹部７３を上部に有する開閉操作部材７２と、ベース部材５１の収容部と開閉操作部材７２との間に配設された、開閉操作部材７２における揺動軸７４よりも下側部分を外側（前方側）に付勢するコイルバネ７５とを備えており、開閉操作部材７２は、その係合凹部７３が形成された上部がベース部材５１の上方側に張り出している。なお、蓋本体６１に形成された左右一対の区画壁６１ａによって挟まれた領域の上半部は、カバー部材６３によって覆われている。
【００２８】
従って、図１５に示すように、蓋部材６０を開いた状態から蓋部材６０を閉じると、口栓部材５０に取り付けた開閉操作部材７２の係合凹部７３よりも上端側が、蓋部材６０に形成された係止爪７１に接触することによって、開閉操作部材７２の上端部が外側に押し広げられながら係止爪７１を乗り越えて係合凹部７３が係止爪７１に係合し、これによって蓋部材６０が全閉位置に位置決めされるようになっている（図１４参照）。
【００２９】
また、蓋部材６０が全閉位置に位置決めされた状態で、図１６に示すように、コイルバネ７５の付勢力に抗して開閉操作部材７２の下部を押し込むと、係止爪７１に対する係合凹部７３の係合が解除されるので、蓋部材６０の前端部を少し持ち上げるだけで、ねじりバネ２ｂの付勢力によって、蓋部材６０が全開位置まで開くようになっている（図１５参照）。
【００３０】
前記ロック手段８０は、図１１〜図１４及び図１７（ａ）、（ｂ）に示すように、ロック位置とロック解除位置との間で横方向にスライド可能に、蓋本体６１の左右一対の区画壁６１ａによって挟まれた収容部における係止爪７１の上側に取り付けられた、下方に突出する突起８２を有するロック操作部材８１と、蓋部材６０を全閉にした状態、即ち、開閉操作部材７２の係合凹部７３が係止爪７１に係合した状態で、ロック操作部材８１の突起８２に係合可能な、開閉操作部材７２の上端部に形成された係合部８３とを備えており、図１７（ａ）に示すように、ロック操作部材８１をロック位置にスライドさせると、突起８２が開閉操作部材７２の係合部８３に係合して開閉操作部材７２の揺動が規制され、同図（ｂ）に示すように、ロック操作部材８１をロック解除位置にスライドさせると、係合部８３に対する突起８２の係合が解除され、開閉操作部材７２の揺動、即ち、開閉操作が許容されるようになっている。
【００３１】
以上のように、この栓体２において、閉状態にロックされた蓋部材６０を開くには、蓋部材６０に取り付けられたロック操作部材８１を横方向にロック位置からロック解除位置までスライドさせることによって、開閉操作部材７２の係合部８３に対するロック操作部材８１の突起８２の係合を解除した後、そのロック操作部材８１の下側に位置している、口栓部材５０に取り付けられた開閉操作部材７２を操作すればよいので、蓋部材６０の開閉操作が簡単であり、しかも、ロック操作部材８１と開閉操作部材７２とを個別に異なる方向に操作しないと、蓋部材６０が開かないので、こういった栓体２が装着された飲料容器を携帯しても、意図しない状況で蓋部材６０が開いて液体飲料がこぼれてしまうおそれがなくなる。
【００３２】
この栓体２も、上述した栓体１と同様に、口栓部材５０が上方に立ち上がる筒状の注出口部５２を有しているので、蓋部材６０を開いて注出口部５２に口を付けて容器本体ｃｂ内の飲料を直接飲むことができ、使い勝手がよい。
【産業上の利用可能性】
【００３３】
本考案は、携帯用魔法瓶や水筒等の携帯用飲料容器等の飲料容器の栓体として利用することができる。
【符号の説明】
【００３４】
１、２  栓体
１ａ、２ａ  ヒンジ
１ｂ、２ｂ  ねじりバネ
１０、５０  口栓部材
１１、５１  ベース部材
１１ａ、５１ａ  区画壁
１２  口部材
５２  注出口部
１３  底壁
１４  注出孔
１５  空気孔
１６、５３  パッキン
２０、６０  蓋部材
２１、６１  蓋本体
２１ａ、６１ａ  区画壁
２２、６２  閉塞部
６３  カバー部材
２３、２４、６４  パッキン
３０、７０  開閉手段
３１  係止部材
３２、７１  係止爪（係止部）
３３、７２  開閉操作部材
３４、７３  係合凹部
３５、７４  揺動軸
３６、７５  コイルバネ
４０、８０  ロック手段
４１、８１  ロック操作部材
４２、８２  突起
４３、８３  係合部
【図１】
0003173973.tif 000003
【図２】
0003173973.tif 000004
【図３】
0003173973.tif 000005
【図４】
0003173973.tif 000006
【図５】
0003173973.tif 000007
【図６】
0003173973.tif 000008
【図７】
0003173973.tif 000009
【図８】
0003173973.tif 000010
【図９】
0003173973.tif 000011
【図１０】
0003173973.tif 000012
【図１１】
0003173973.tif 000013
【図１２】
0003173973.tif 000014
【図１３】
0003173973.tif 000015
【図１４】
0003173973.tif 000016
【図１５】
0003173973.tif 000017
【図１６】
0003173973.tif 000018
【図１７】
0003173973.tif 000019